(57)【要約】【課題】部品の組み立てによるフラッシュ発光の精度低下を抑制する工夫がされたカメラを提供する。【解決手段】撮影レンズが支持されるレンズ鏡胴と調光センサとを、これらの間に介在する部品をできるだけ少なくして直接的に組み付ける。【選択図】　　　　図３
2004069854.tif 000002
【特許請求の範囲】
【請求項１】
被写体からの光を取り込んで所定の撮影面上に結像し該撮影面上に結像された被写体像を捉えることにより撮影を行なうカメラにおいて、
前記撮影面上に被写体像を形成する撮影レンズを支持するレンズ鏡胴、
前記レンズ鏡胴を支持する本体フレーム、および、
被写体に向けて閃光を発光する閃光発光部と、前記閃光発光部から出射され被写体で反射した反射光を受光する受光センサと、前記受光センサでの受光光量に基づいて前記閃光発光部から発せられる閃光の光量を制御する発光制御部とを有する閃光発光装置を備え、
前記受光センサは、前記本体フレームに取り付けられていることを特徴とするカメラ。
【請求項２】
前記受光センサは、前記本体フレームに取り付けられていることに代わり、前記レンズ鏡胴に取り付けられていることを特徴とする請求項１記載のカメラ。
【請求項３】
前記レンズ鏡胴と一体成型されたファインダフレームを有する、撮影画角を視認するためのファインダ装置を備え、
前記受光センサは、前記本体フレームに取り付けられることに代わり、前記ファインダフレームに取り付けられていることを特徴とする請求項１記載のカメラ。
【発明の詳細な説明】
【０００１】
【発明の属する技術分野】
本発明は、調光センサを有する閃光発光装置を備えたカメラに関する。
【０００２】
【従来の技術】
従来より、フラッシュ装置から出射され被写体で反射した光を受光して被写体輝度を検出する調光センサを有するフラッシュ装置を備えたカメラが知られている。フラッシュ装置の発光制御は、この調光センサで検出された輝度情報に基づいて行なわれている。
【０００３】
このような、調光センサを有するフラッシュ装置を備えたカメラでは、フラッシュ調光センサの光軸と、撮影レンズの光軸との相対的な関係が設計上予め決定されている。
【０００４】
【発明が解決しようとする課題】
ところが、調光センサは、カメラ内部の基板に組み付けられており、さらに、その基板はカメラの本体フレームに組み付けられている。
【０００５】
一方の撮影レンズはレンズ鏡胴に支持され、このレンズ鏡胴が本体フレームに組み付けられている。
【０００６】
つまり、調光センサの光軸と、撮影レンズの光軸との相対的な位置関係は、工場出荷時点ですでに、上述の組み付けによる組み付け誤差により設計通りになっていない場合もあり、これにより、設計通りの発光精度が得られないおそれがある。
【０００７】
特２０００−９８４７８号公報には、被写体までの距離によっては、オートフォーカス機能による測距が、‘エリアマーク’と呼ばれる、ファインダ内に固定的に示されたオートフォーカス用の照準通りには行なわれなくなってしまうことが防止されたカメラが提案されている。
【０００８】
上記提案のカメラは、撮影画角内を画像表示する表示パネルを備え、カメラに備えられた測拒装置が実際に測拒している画角内の位置に対応する、表示パネル上の位置にオートフォーカス用の照準が画像表示されることで問題の解決が図られている。
【０００９】
そこで、上記提案に習って、調光センサによる実際の測光エリアを表示パネル上に表示させ、目標とする被写体が、その表示範囲内に入るようにフレーミングを行なって撮影することも考えられるが、調光センサによる測光は、オートフォーカス機能の測拒に比べ、撮影画角内の広いエリアに対して行なわれるものであるため、それを実践しても実益は少ないことも事実である。
【００１０】
本発明は、上記事情に鑑み、部品の組み立てによるフラッシュ発光の精度低下を抑制するための工夫がなされたカメラを提供することを目的とする。
【００１１】
【課題を解決するための手段】
上記目的を達成するための本発明のカメラは、
被写体からの光を取り込んで所定の撮影面上に結像しこの撮影面上に結像された被写体像を捉えることにより撮影を行なうカメラにおいて、
上記撮影面上に被写体像を形成する撮影レンズを支持するレンズ鏡胴、
上記レンズ鏡胴を支持する本体フレーム、および、
被写体に向けて閃光を発光する閃光発光部と、上記閃光発光部から出射され被写体で反射した反射光を受光する受光センサと、上記受光センサでの受光光量に基づいて上記閃光発光部から発せられる閃光の光量を制御する発光制御部とを有する閃光発光装置を備え、
上記受光センサは、上記本体フレームに取り付けられていることを特徴とする。
【００１２】
従来において受光センサは本体フレームには取り付けられておらず、その受光センサは基板に取り付けられ、その基板が本体フレームに取り付けられている。これに対し本発明では、受光センサが本体フレームに取り付けられている。つまり、基板に対する受光センサの取り付けを省略することで、撮影レンズの光軸と調光センサの光軸との相対的な位置関係の、設計上の相対的な位置関係に対するズレを従来よりも減少させることができる。したがって、本発明のカメラによれば、部品の組み立てによるフラッシュ発光の精度低下を抑制することができる。
【００１３】
ここで、上記受光センサは、上記本体フレームに取り付けられていることに代わり、上記レンズ鏡胴に取り付けられていることが好ましい。
【００１４】
このようにすると、撮影レンズの光軸と調光センサの光軸との相対的な位置関係の、設計上の相対的な位置関係に対するズレの原因となる誤差の発生を、レンズ鏡胴に対する受光センサの取り付けの際のみとすることができる。これにより、撮影レンズの光軸と調光センサの光軸との相対的な位置関係の、設計上の相対的な位置関係に対するズレを、調光センサを本体フレームに取り付ける場合よりもさらに減少させることができる。したがって、本発明のカメラによれば、部品の組み立てによるフラッシュ発光の精度低下をさらに抑制することができる。
【００１５】
あるいは、本発明のカメラが、上記レンズ鏡胴と一体成型されたファインダフレームを有する、撮影画角を視認するためのファインダ装置を備え、
上記受光センサは、上記本体フレームに取り付けられることに代わり、上記ファインダフレームに取り付けられていることも好ましい態様である。
【００１６】
このようにしても、撮影レンズの光軸と調光センサの光軸との相対的な位置関係の、設計上の相対的な位置関係に対するズレを、調光センサを本体フレームに取り付ける場合よりもさらに減少させることができるため、さらに発光精度の低下を抑制することができる。
【００１７】
【発明の実施の形態】
以下、本発明のカメラの実施形態について説明する。
【００１８】
図１は、本発明のカメラの第１実施形態の外観斜視図である。
【００１９】
図１に示される、本実施形態のカメラ１の前面には、中央付近に撮影レンズ１０を支持するレンズ鏡胴１１、レンズ鏡胴１１の左斜め上方（図１では右斜め上方）にフラッシュ調光窓１２、フラッシュ調光窓の左（図１では右）にフラッシュ発光窓１３、レンズ鏡胴の上方にファインダ対物窓１５が備えられている。
【００２０】
図１に示されるカメラ１の上面の右端（図１では左端）に、半押でフォーカスロック機構が作動し、全押で撮影が行なわれるレリーズボタン１４が備えられている。
【００２１】
図１に示されるカメラ１の外装は、詳しくは後述するが、前面カバー２０と背面カバー２４とで構成されており、背面カバー２４は、ロール状のフィルムが装填されたフィルムカートリッジを交換するために軸２１によって開閉自在に軸支されており、図１の右端には、軸２１と、この軸２１が挿通される、前面カバー２０の円筒部２０ａと背面カバー２４の円筒部２４ａとが示されている。
【００２２】
図１に示されるカメラ１は、図示しないズームレバーの一方を押し続けることで望遠端まで焦点距離が調節され、ズームレバーのもう一方を押し続けることで広角端まで焦点距離が調節されるものの、レンズ鏡胴の長さは不変のコンパクトカメラである。
【００２３】
また、図１に示されるカメラ１は、調光センサ１１２を備えており、後述するフラッシュ発光部１１０から出射され、被写体で反射して戻ってきた光は、上記フラッシュ調光窓１２を透してこの調光センサ１１２で受光される。
【００２４】
この調光センサ１１２は、受光光に応じた信号を被写体の輝度情報として出力する。尚、図１では、本発明と無関係であるＡＥ受光窓、ＡＦ投光窓、ＡＦ受光窓などの図示は省略されている。
【００２５】
図２は、このカメラの内部ブロック図である。
【００２６】
図２には、このカメラ１の全体を制御するＣＰＵ１００、ＣＰＵに被写体の輝度情報を送信する調光センサ１１２、調光センサからの輝度情報を基に上述したフラッシュ発光部１１０の発光を制御するドライバ１１１、図１に示すレリーズボタン１４に対する操作を検出し、レリーズボタンが操作されたことを表す信号をＣＰＵに送信するＩ／Ｏコントローラ１２０が示されている。尚、図２でも、ＡＦ演算回路など本発明とは無関係なものの図示は省略されている。
【００２７】
このカメラ１では、図１に示されるレリーズボタンを半押ししてフォーカシングと露出とを行い、被写体輝度が低い場合は、レリーズボタンの全押しによる写真撮影時にフラッシュ装置によるフラッシュ発光が行なわれる。フラッシュ装置のフラッシュの発光量は、図２に示す調光センサで検出される被写体の輝度情報を基に決定される。
【００２８】
図３は、図１に示すカメラの分解図の一部を示す図である。
【００２９】
図１に示すカメラ１は、前面カバー２０と、撮影画角を確認するためのファインダ装置を構成する後述するファインダフレーム２１１が一体成型されたレンズ鏡胴１１と、本体フレーム２２と、ＣＰＵ１００、フラッシュ発光部１１０、および、フィルムカートリッジが装填されるフィルム装填室などが備えられた撮影部と、背面カバー２４とで構成されており、図３には、撮影部と背面カバー２４の図示は省略されている。
【００３０】
上記撮影部と、ファインダフレーム２１１が一体成型されたレンズ鏡胴１１は、本体フレーム２２の所定の位置にそれぞれ取り付けられており、撮影部およびレンズ鏡胴１１が取り付けられた本体フレーム２２は、前面カバー２０、および、前面カバー２０に軸支されている背面カバー２４によって覆われている。
【００３１】
レンズ鏡胴１１と一体成型されたファインダフレーム２１１の一部には、調光センサ１１２が精緻に取り付けられたプレート１１２１が、多少の押圧を以ってカメラの上方から下方へと嵌め込まれるＵ字溝２１１０（図６参照）が設けられている。また、レンズ鏡胴１１には、詳しくは後述する、本体フレーム２２にレンズ鏡胴１１を取り付けるための挿入端１１ａが備えられている。
【００３２】
図３には、レンズ鏡胴１１と一体成型されたファインダフレーム２１１にファインダ本体２１０が配設されていると共に、ファインダフレーム２１１に設けられたＵ字溝２１１０に、調光センサ１１２が取り付けられた嵌込プレート１１２１が嵌め込まれている様子が示されている。
【００３３】
図３に示されるファインダ本体２１０は、前面にファインダ対物レンズ２１０ａが嵌め込まれていると共に、背面側には、後述するフレキシブルプリントケーブル（以下、このフレキシブルプリントケーブルをＦＰＣと称する）が挿通されるフック２１０ｂ、およびＦＰＣの位置決めを行なうポール２１０ｃが設けられている。尚、煩雑さを避けるため、図３におけるＦＰＣの図示は省略されている。
【００３４】
本体フレーム２２には、レンズ鏡胴１１に備えられた挿入端１１ａが嵌め込まれる孔２２０が穿設されている。
【００３５】
図４は、図３に示されるレンズ鏡胴と本体フレームの、左側からの側面図である。
【００３６】
図４には、本体フレーム２２に穿設された孔２２０に挿入される、レンズ鏡胴１１の挿入端１１ａが示されている。この挿入端１１ａをこの孔２２０に挿入することによって、レンズ鏡胴１１は、本体フレーム２２に支持される。
【００３７】
尚、図示は省略するが、ＣＰＵ１００、フラッシュ発光部１１０、および、フィルムカートリッジが装填されるフィルム装填室などが備えられた撮影部も、本体フレーム２２に対し、所定の位置に取り付けられている。
【００３８】
図５は、図３に示される、嵌込プレートに対する調光センサの組み付けの様子を示す図である。
【００３９】
図５には、図３では省略されていたＦＰＣ（フラットプリントケーブル）１１２２が示されている。
【００４０】
調光センサ１１２は、受光部１１２ａと土台部１１２ｂとで構成されており、土台部１１２ｂには、調光センサ１１２が嵌込プレート１１２１に取り付けられる際の位置決めに使用される突起１１２ｃと、受光部１１２ａで受光した受光光に基づいた信号が出力される信号出力端子１１２ｄとが設けられている。
【００４１】
ＦＰＣ１１２２は、図５に示すように途中にクランク形状を有する信号ケーブルであり、ＦＰＣ１１２２には、調光センサ１１２に設けられている信号出力端子１１２ｄが溶融されて接続されるケーブル端子１１２２ｃ、嵌込プレート１１２１に対する位置決めに使用される第１位置決め孔１１２２ａ、および、ファインダフレーム上での位置決めのために使用される第２位置決め孔１１２２ｄが設けられている。
【００４２】
嵌込プレート１１２１は、小さな板状の、耐磨耗性に優れたプラスチック製のものである。
【００４３】
嵌込プレート１１２１には、上述した調光センサ１１２の信号出力端子１１２ｄが挿通される挿通孔１１２１ａ、ＦＰＣ１１２２に設けられた第１位置決め孔１１２２ａを貫通する第１突起１１２１ｂ、および、ファインダフレーム２１１に設けられたＵ字溝２１１０における自身の位置決めに使用される第２突起１１２１ｃが設けられている。
【００４４】
図６は、嵌込プレートに対し、調光センサおよびＦＰＣが取り付けられた状態を示す図である。
【００４５】
図６には、調光センサ１１２に設けられた信号出力端子１１２ｄが溶融されて、ＦＰＣのケーブル端子１１２２ｃに接続されている様子が示されており、調光センサ１１２は、精緻に嵌込プレート１１２１に取り付けられている。
【００４６】
図７は、図３に示されるファインダフレームを、背面からの見た場合の図である。尚、図７には、図３において図示が省略されているＦＰＣが示されている。
【００４７】
図７には、ＦＰＣ１１２２および調光センサ１１２が取り付けられた嵌込プレート１１２１がファインダフレーム２１１に設けられたＵ字溝２１１０に嵌め込まれようとしている様子が示されており、クランク形状の部分で折り返されたＦＰＣ１１２２が、前述したフック２１０ｂおよびポール２１０ｃによって位置決めされている様子が示されている。嵌込プレート１１２１に精緻に取り付けられた調光センサ１２１は、嵌込プレートが、ファインダフレーム２１１に設けられたＵ字溝２１１０に押圧されながら嵌め込まれることで、ファインダフレーム２１１に対しても精緻に取り付けることができる。
【００４８】
本実施形態のカメラ１では、上述したように、調光センサ１１２が、撮影レンズが支持されたレンズ鏡胴１１と一体成型されたファインダフレーム２１１に取り付けられている。
【００４９】
これにより、従来においては調光センサが撮影部に取り付けられたために、調光センサが撮影部に取り付けられる際、この撮影部が本体フレームに取り付けられる際、レンズ鏡胴が本体フレームに取り付けられる際においてそれぞれ発生していた誤差を、調光センサを嵌込プレートに取り付ける際、および、調光センサが取り付けられた嵌込プレートをファインダフレームに取り付ける際に発生する誤差のみとすることができる。さらに、本実施形態では、これらの誤差は最小限に抑えられている。したがって、このカメラ１によれば、撮影レンズの光軸と調光センサの光軸との相対的な位置関係の、設計上の相対的な位置関係に対するズレを従来よりも抑制することができるので、部品の組み立てによるフラッシュ発光の精度低下を抑制することができる。
【００５０】
次に、本発明のカメラの第２実施形態について説明する。
【００５１】
図８は、本実施形態のカメラを構成するレンズ鏡胴の外観斜視図である。
【００５２】
図８に示されるレンズ鏡胴２００には、調光センサを内蔵する後述のマウンター２３を取り付けるための溝２００ａが設けられている。
【００５３】
図９は、調光センサを内蔵するマウンタの外観斜視図である。
【００５４】
図９に示されるマウンター２３には、光を受光するための受光窓２３ａ、および、図８に示される溝２００ａに嵌め込まれる脚部２３ｂが備えられている。尚、このマウンター２３に内蔵された調光センサ１１２から出力される信号が送信される信号線は、脚部の内部を通り、レンズ鏡胴内部を経てカメラ内部まで敷設されている。
【００５５】
図１０は、調光センサが備えられた、レンズ鏡胴の外観斜視図である。
【００５６】
図１０に示すように、調光センサ１１２をレンズ鏡胴に備えることで、取り付け誤差の発生を、調光センサ１１２をマウンター２３に取り付ける際、調光センサ１１２が取り付けられたマウンター２３をレンズ鏡胴２００に取り付ける際のみとすることができるので、撮影レンズの光軸と調光センサの光軸との相対的な位置関係の、設計上の相対的な位置関係に対するズレを従来よりも抑制することができる。したがって、このカメラ２によっても、部品の組み立てによるフラッシュ発光の精度低下を抑制することができる。
【００５７】
最後に、本発明の第３実施形態について説明する。
【００５８】
図１１は、本発明のカメラの第３実施形態の分解図の一部を示す図である。尚、図１１に示されているもののうち、図３に示されているもののと同じ種類のものには図３において付されている符号と同じ符号が付されている。
【００５９】
図１１には、本実施形態のカメラ３の調光センサが、本体フレーム２２０に取り付けられている様子が示されている。尚、このカメラ３では、カメラ１において調光センサが備えられていた位置にフラッシュ発光部１１０が備えられている。
【００６０】
カメラ３では、調光センサ１１２を本体フレーム２２２に備えることで、取り付け誤差の発生を、調光センサ１１２を本体フレーム２２２に取り付ける際、撮影レンズを支持するレンズ鏡胴を本体フレーム２２２に取り付ける際のみとすることができるので、撮影レンズの光軸と調光センサの光軸との相対的な位置関係の、設計上の相対的な位置関係に対するズレを従来よりも抑制することができる。したがって、このカメラ３によっても、部品の組み立てによるフラッシュ発光の精度低下を抑制することができる。
【００６１】
尚、第２および第３実施形態では、レンズ鏡胴がファインダフレームと一体成型されている場合を例に挙げて説明したが、これに限らず、レンズ鏡胴がファインダフレームと一体成型されていないものであっても本発明の効果に影響はない。
【００６２】
【発明の効果】
以上説明したように、本発明のカメラによれば、部品の組み立てによるフラッシュ発光の精度低下を抑制することができる。
【図面の簡単な説明】
【図１】本発明のカメラの第１実施形態の外観斜視図である。
【図２】このカメラの内部ブロック図である。
【図３】図１に示すカメラの分解図の一部を示す図である。
【図４】図３に示されるレンズ鏡胴と本体フレームの、左側からの側面図である。
【図５】図３に示される、嵌込プレートに対する調光センサの組みつけの様子を示す図である。
【図６】嵌込プレートに対し、調光センサおよびＦＰＣが取り付けられた状態を示す図である。
【図７】図３に示されるファインダフレームを、背面からの見た場合の図である。
【図８】本実施形態のカメラを構成するレンズ鏡胴１２の外観斜視図である。
【図９】調光センサを内蔵するマウンタの外観斜視図である。
【図１０】調光センサが備えられたレンズ鏡胴の外観斜視図である。
【図１１】本発明のカメラの第３実施形態の分解図の一部を示す図である。
【符号の説明】
１、２　カメラ
１１、２００　レンズ鏡胴
１１ａ　挿入端
１２、１２ａ　フラッシュ調光窓
１３　フラッシュ発光窓
１４　レリーズボタン
１５　ファインダ対物窓
２０　前面カバー
２０ａ、２４ａ　円筒部
２１　軸
２２、２２２　本体フレーム
２２０　孔
２３　マウンター
２３ａ　受光窓
２３ｂ　脚部
２４　背面カバー
１００　ＣＰＵ
１１０　フラッシュ発光部
１１１　ドライバ
１１２　調光センサ
１１２ａ　受光部
１１２ｂ　土台部
１１２ｃ　突起
１１２ｄ　信号出力端子
１１２１　嵌込プレート
１１２１ａ　挿通孔
１１２１ｂ　第１突起
１１２１ｃ　第２突起
１１２２　フラットプリンタケーブル
１１２２ａ　第１位置決め孔
１１２２ｃ　ケーブル端子
１１２２ｄ　第２位置決め孔
２００ａ　溝
２１０　ファインダ本体
２１０ａ　ファインダ対物レンズ
２１０ｂ　フック
２１０ｃ　ポール
２１１　ファインダフレーム
２１１０　Ｕ字溝
【図１】
2004069854.tif 000003
【図２】
2004069854.tif 000004
【図３】
2004069854.tif 000005
【図４】
2004069854.tif 000006
【図５】
2004069854.tif 000007
【図６】
2004069854.tif 000008
【図７】
2004069854.tif 000009
【図８】
2004069854.tif 000010
【図９】
2004069854.tif 000011
【図１０】
2004069854.tif 000012
【図１１】
2004069854.tif 000013